(57)【特許請求の範囲】
【請求項１】
単一の文字コード体系のフォントデータを備えてファイル作成処理する装置に対して、文字コード種が設定された複数の文字コード体系の文書情報のファイル元データに対応させてファイル作成処理を行わせる複数文字コード体系の文書ファイル処理システムであって、
少なくとも、所定の文字コード体系のファイル元データを所定数取得するデータ取得手段と、
取得したファイル元データのうち、前記文字コード種に基づいて、前記装置の文字コード体系と同一の文字コード体系のファイル元データに対しては少なくとも前記単一の文字コード体系のフォントデータを参照して文字コード認識を行い、異なる文字コード体系のファイル元データに対しては文字コード認識せずに当該文字コード体系のままで上記文字コード認識したファイル元データに統合する編集手段と、
前記編集手段での処理後に、前記装置のフォントに適合させた文書処理ファイルを作成するファイル作成手段と、
所定種類のフォント毎のそれぞれに、所定数の文字コード体系毎のフォントの文字情報が格納されている格納手段を備え、前記文書処理ファイルに基づいて、それぞれ文字コードに応じた文字情報を上記格納手段より取得して文書出力データを作成し、前記装置に出力する出力処理手段と、
を有することを特徴とする複数文字コード体系の文書ファイル処理システム。
【請求項２】
請求項１記載の複数文字コード体系の文書ファイル処理システムであって、前記装置に対応した文字コード体系の文書情報がレイアウトされた固定情報領域と、当該文字コード体系と同一または異なる文字コード体系による文書情報がレイアウトされる可変情報領域とが配置されたテンプレートであって各文字コード体系毎のテンプレートが備えられ、上記可変情報領域に配置される所定の文字コード体系の前記ファイル元データの文書情報の文字コード種に応じて該当の文字コード体系のテンプレートを前記データ取得手段が取得することを特徴とする複数文字コード体系の文書ファイル処理システム。
【請求項３】
請求項１または２記載の複数文字コード体系の文書ファイル処理システムであって、前記装置が、少なくとも印刷装置または電子文書ファイル作成装置であり、前記出力処理手段で作成される文書出力データが、印刷処理のための印刷データ、または電子文書ファイル作成処理のための電子文書データであることを特徴とする複数文字コード体系の文書ファイル処理システム。
【請求項４】
単一の文字コード体系のフォントデータを備えてファイル作成処理する装置に対して、文字コード種が設定された複数の文字コード体系の文書情報のファイル元データに対応させてファイル作成処理を行わせるための、データ取得手段、編集手段、ファイル作成手段及び出力処理手段を備える文書ファイル処理システムによる複数文字コード体系の文書ファイル処理方法であって、
前記データ取込手段が、少なくとも、所定の文字コード体系のファイル元データを所定数取得するステップと、
前記編集手段が、取得したファイル元データのうち、前記文字コード種に基づいて、前記装置の文字コード体系と同一の文字コード体系のファイル元データに対しては少なくとも前記単一の文字コード体系のフォントデータを参照して文字コード認識を行うステップと、
一方、前記編集手段が、前記文字コード種に基づいて、前記装置の文字コード体系と前記異なる文字コード体系のファイル元データに対しては文字コード認識せずに当該文字コード体系のままで上記文字コード認識したファイル元データに統合するステップと、
前記処理後に、前記ファイル作成手段が、前記装置のフォントに適合させた文書処理ファイルを作成するステップと、
所定種類のフォント毎のそれぞれに、所定数の文字コード体系毎のフォントの文字情報が格納されている格納手段を備える前記出力処理手段が、前記文書処理ファイルに基づいて、それぞれ文字コードに応じた文字情報を上記格納手段より取得して文書出力データを作成し、前記装置に出力するステップと、
を含むことを特徴とする複数文字コード体系の文書ファイル処理方法。
【発明の詳細な説明】
【０００１】
【発明の属する技術分野】
本発明は、単一フォント形式の印刷装置で印刷処理させ、または汎用電子文書ファイルを作成するための複数文字コード体系の文書ファイル処理システムおよびその処理方法に関する。
【０００２】
【従来の技術】
近年、所定のフォント形式で印字品質、印字速度の優れた印刷を大量に行うことができる高機能な印刷装置の利用が広まっている。一方、事業体の所有するエンタプライズサーバ（メインフレーム）によっては、文字コード体系を異にしているため、単一文字コード体系の印刷装置では、他の文字コードを直接に印刷処理することができない。そのため、異なる文字コード体系の印刷データを取り扱うにあたって、いわゆる文字化けを生じさせない確実な処理が必要となる。
【０００３】
図６に、従来の印刷データ処理の概念説明図を示す。図６は、単一文字コード体系の印刷装置で異なる文字コード体系の印刷データを取り扱う場合に文字コードを変換する場合を示している。すなわち、図６において、例えばＡ文字コード体系の印刷元データ１０１、Ｂ文字コード体系の印刷元データ１０２およびＣ文字コード体系の印刷元データ１０３の何れかに基づいて、例えばＡ文字コード体系の印刷装置で印刷処理を行う場合である。
【０００４】
例えばＡ文字コード体系の印刷装置では、Ａ文字コード体系の印刷データでなければ印刷処理ができないことから、Ａ文字コード体系の印刷元データ１０１を入力したときにはそのまま印刷データ１０５としてデータベース等に格納される。また、上記Ｂ文字コード体系の印刷元データ１０２が入力されたときにはコンバータ１０４で例えばテーブル等が参照されてＡ文字コード体系の印刷データに変換され、さらに、Ｃ文字コード体系の印刷元データ１０３が入力されたときには、同じくコンバータ１０４でＡ文字コード体系の印刷データに変換されて印刷データ１０５としてデータベース等に格納される。
【０００５】
出力装置１０６では、印刷装置おけるＡ文字コード体系のフォントに対応した印刷ファイルを作成するもので、出力処理手段１０９においてフォントデータ（Ａ文字コード体系）１１０を用いて上記Ａ文字コード体系の印刷データ１０５に基づき当該フォントによる印刷ファイルを作成する。そして、当該印刷ファイルを印刷装置１０７に送出して印刷処理を行わせ、適宜ＭＭ（マルチメディア）ファイル作成装置１０８に送出して、例えばインターネット上に配信可能なＭＭファイル（ＰＤＦファイル、ＨＴＭＬファイル、ＸＭＬファイル等）を作成させるものである。
【０００６】
【発明が解決しようとする課題】
しかしながら、異なる文字コード体系の印刷元データ１０２，１０３を印刷装置１０７の文字コード体系とするために、上記コンバータ１０４を使用しても完全な互換性を保つことができないと共に、変換処理が複雑で障害が発生しやすく、運用管理が煩雑であるという問題がある。
そこで、本発明は上記課題に鑑みなされたもので、印刷処理、電子文書ファイル処理における文字コード体系と異なる文字コード体系の文書データであっても内容を損なわずに確実なファイル作成処理を行わせる複数文字コード体系の文書ファイル処理システムおよびその処理方法を提供することを目的とする。
【０００７】
【課題を解決するための手段】
上記課題を解決するために、請求項１の発明では、単一の文字コード体系のフォントデータを備えてファイル作成処理する装置に対して、文字コード種が設定された複数の文字コード体系の文書情報のファイル元データに対応させてファイル作成処理を行わせる複数文字コード体系の文書ファイル処理システムであって、少なくとも、所定の文字コード体系のファイル元データを所定数取得するデータ取得手段と、取得したファイル元データのうち、前記文字コード種に基づいて、前記装置の文字コード体系と同一の文字コード体系のファイル元データに対しては少なくとも前記単一の文字コード体系のフォントデータを参照して文字コード認識を行い、異なる文字コード体系のファイル元データに対しては文字コード認識せずに当該文字コード体系のままで上記文字コード認識したファイル元データに統合する編集手段と、前記編集手段での処理後に、前記装置のフォントに適合させた文書処理ファイルを作成するファイル作成手段と、所定種類のフォント毎のそれぞれに、所定数の文字コード体系毎のフォントの文字情報が格納されている格納手段を備え、前記文書処理ファイルに基づいて、それぞれ文字コードに応じた文字情報を上記格納手段より取得して文書出力データを作成し、前記装置に出力する出力処理手段と、を有する構成とする。
【０００８】
請求項２および３の発明では、「前記装置に対応した文字コード体系の文書情報がレイアウトされた固定情報領域と、当該文字コード体系と同一または異なる文字コード体系による文書情報がレイアウトされる可変情報領域とが配置されたテンプレートであって各文字コード体系毎のテンプレートが備えられ、上記可変情報領域に配置される所定の文字コード体系の前記ファイル元データの文書情報の文字コード種に応じて該当の文字コード体系のテンプレートを前記データ取得手段が取得する」構成であり、
「前記装置が、少なくとも印刷装置または電子文書ファイル作成装置であり、前記出力処理手段で作成される文書出力データが、印刷処理のための印刷データ、または電子文書ファイル作成処理のための電子文書データである」構成である。
【０００９】
請求項４の発明では、単一の文字コード体系のフォントデータを備えてファイル作成処理する装置に対して、文字コード種が設定された複数の文字コード体系の文書情報のファイル元データに対応させてファイル作成処理を行わせるための、データ取得手段、編集手段、ファイル作成手段及び出力処理手段を備える文書ファイル処理システムによる複数文字コード体系の文書ファイル処理方法であって、前記データ取込手段が、少なくとも、所定の文字コード体系のファイル元データを所定数取得するステップと、前記編集手段が、取得したファイル元データのうち、前記文字コード種に基づいて、前記装置の文字コード体系と同一の文字コード体系のファイル元データに対しては少なくとも前記単一の文字コード体系のフォントデータを参照して文字コード認識を行うステップと、一方、前記編集手段が、前記文字コード種に基づいて、前記装置の文字コード体系と前記異なる文字コード体系のファイル元データに対しては文字コード認識せずに当該文字コード体系のままで上記文字コード認識したファイル元データに統合するステップと、前記処理後に、前記ファイル作成手段が、前記装置のフォントに適合させた文書処理ファイルを作成するステップと、所定種類のフォント毎のそれぞれに、所定数の文字コード体系毎のフォントの文字情報が格納されている格納手段を備える前記出力処理手段が、前記文書処理ファイルに基づいて、それぞれ文字コードに応じた文字情報を上記格納手段より取得して文書出力データを作成し、前記装置に出力するステップと、を含む構成とする。
【００１０】
このように、文字コード体系の文書情報のファイル元データに文字コード種が設定され、取得した所定数の文字コード種のファイル元データのうち、単一の文字コード体系でファイル作成処理する装置と同一の文字コード体系のファイル元データに対しては単一の文字コード体系のフォントデータを参照して文字コード認識を行い、異なる文字コード体系のファイル元データに対しては文字コード認識せずに当該文字コード体系のままで上記文字コード認識したファイル元データに統合させる。すなわち、印刷処理、電子文書ファイル処理における装置の文字コード体系と異なる文字コード体系の文書データであっても、異なる文字コード体系のままでデータ統合を行い、出力段階で該当の文字コード体系のフォントの文字情報を取得させることから、内容を損なわずに確実なファイル作成処理を行わせることが可能となるものである。
【００１１】
【発明の実施の形態】
以下、本発明の好ましい実施形態を図により説明する。
図１に、本発明の文書ファイル処理システムのブロック構成図を示す。ここでは、単一の文字コード体系のフォントでファイル作成処理する装置に対して、複数の文字コード体系のファイル元データに対応させてファイル作成処理を行わせるシステムに適用させたもので、上記装置として、例えば単一文字コード体系のフォントで印刷処理する印刷装置、および／または例えばインターネット上に配信するための電子文書ファイル作成装置が適宜示される。
【００１２】
図１において、文書ファイル処理システム１１は、最終的に作成した文書出力データを印刷装置１２または電子文書ファイル作成装置であるＭＭ（マルチメディア）ファイル作成装置１３に出力する構成であり、全体を制御する図示しない制御手段の他に、設定コード入力手段２１、データ読込手段２２、テンプレート読込手段２３、編集手段２４、ファイル作成手段である印刷ファイル作成手段２５および出力処理手段２６を備える。ここで、上記設定コード入力手段２１、データ読込手段２２およびテンプレート読込手段２３によりデータ取得手段を構成する。
【００１３】
上記設定コード入力手段２１は、後述の可変データの文字コード体系における文字コード種の設定データ２７を入力する。上記データ読込手段２２は、後述のテンプレートの可変情報領域に組み込まれる所定文字コード体系の可変データを可変データベース（ＤＢ）２８より読み込む。この可変データは所定のファイル作成におけるファイル元データの一つとなるもので、後述のテンプレートにおける固定情報と共にファイル元データが構成される。
【００１４】
上記テンプレート読込手段２３は、詳細は図３で説明するが、少なくとも上記印刷装置１２に対応した文字コード体系の文書情報がレイアウトされた固定情報領域と、当該文字コード体系と同一または異なる文字コード体系による文書情報がレイアウトされる可変情報領域とが配置されたテンプレートであって各文字コード体系毎のテンプレート２９が備えられ、上記可変情報領域に配置される所定の文字コード体系のファイル元データにおける上記設定コード入力手段２１で入力した文字コード種の設定データ２７に応じて該当の文字コード体系のテンプレートを読み込んで取得する。
【００１５】
上記編集手段２４は、可変ＤＢ２８より取得した可変データ、上記テンプレート２９の固定情報におけるファイル元データのうち、上記印刷装置１２の文字コード体系と同一の文字コード体系のファイル元データ（少なくとも上記固定情報）に対しては文字コード認識を行い、異なる文字コード体系のファイル元データ（可変データ）に対しては当該文字コード体系のままで上記文字コード認識したファイル元データ（上記固定情報）に統合して編集ファイルを作成する編集処理を行う。なお、図２（Ａ）において詳説する。
【００１６】
上記印刷ファイル作成手段２５は、編集手段２４で作成された編集ファイルに基づいて上記印刷装置１２のフォントに適合させた文書処理ファイルを、上記文字コード体系情報を付して作成する。そして、上記出力処理手段２６は、図２（Ｂ）において詳説するが、所定数のフォント毎のそれぞれに、所定数の文字コード体系毎の文字情報が格納されている格納手段を備え、上記文書処理ファイルに基づいて、それぞれ文字コード体系に応じた文字情報を上記格納手段より取得して文書出力データを作成し、印刷装置１２、ＭＭファイル作成装置１３の少なくとも何れかに出力する。
【００１７】
ここで、図２に、図１の編集手段および出力処理手段のブロック構成図を示す。図２（Ａ）は編集手段２４のブロック構成図であり、図２（Ｂ）は出力処理手段２６のブロック構成図である。図２（Ａ）において、編集手段２４は、データ区分け手段３１、コード認識手段３２、データ統合手段３３およびフォントデータ３４を備える。データ区分け手段３１は、上記設定された設定文字コード種のデータ２７を取得するもので、この設定文字コード種データ２７に応じて可変ＤＢ２８より読み込んだ可変データをコード認識手段３２またはデータ統合手段３３に送出する。
【００１８】
上記コード認識手段３２は、上記印刷装置１２と同一の文字コード体系のファイル元データに対して、この文字コード体系（ここではＡ文字コードとする）のフォント（ここではａフォントとする）データ３４を参照してコード認識し、適宜表示、変更編集させるもので、少なくともテンプレート２９の固定情報領域の固定情報をコード認識する。また、上記データ区分け手段３１より可変データが送出されてきた場合には、当該可変データも同一の文字コード体系であることから、当該テンプレートの可変情報領域に当該可変データを組み込んでコード認識を行う。
【００１９】
上記データ統合手段３３は、上記設定された設定文字コード種のデータ２７を取得するもので、この設定文字コード種データ２７が上記印刷装置１２と同一の文字コード体系のときには可変データおよび固定情報をコード認識手段３２で文字コード認識し、適宜表示、変更編集された文書データで編集ファイルを作成して印刷ファイル作成手段２５に送出する。また、設定文字コード種データ２７が異なる文字コード体系のときには上記データ区分け手段３１から送出されてくる可変データと、コード認識手段３２から送出されてくるコード認識された文書データとを統合（上記テンプレート上における可変情報領域に組み込む）して編集ファイルを作成し、印刷ファイル作成手段２５に送出するものである。
【００２０】
また、図２（Ｂ）において、出力処理手段２６は、フォント読込手段４１、レンダリング手段４２および上記格納手段であるフォントデータ格納手段４３を備える。ここで、フォントデータ格納手段４３は、例えばａ〜ｎのフォントデータであって、所定数の文字コード体系（Ａ〜Ｎ文字コード）のそれぞれで各フォントデータが格納されている。なお、このフォント格納手段４３は、本出願人が出願した特願平１１―１２３５６０号のフォント格納部のように各文字コード体系毎のフォントとして所定数備えることとしてもよい。
【００２１】
そこで、上記フォント読込手段４１は、上記印刷ファイル作成手段２５で作成された文書処理ファイルに基づいて、それぞれ文字コード体系に応じた文字情報を上記フォント格納手段４３の対応する文字コードのフォントの文字情報を取得する。そして、レンダリング手段４２は、上記のように文字情報が反映された文書処理ファイルの印刷画像を生成して文書出力データを作成し、上記印刷装置１２、ＭＭファイル作成装置１３の何れかに出力するものである。
【００２２】
続いて、図３に、本発明に係るテンプレートおよび文書処理ファイルの概念説明図を示す。図３（Ａ）は上記テンプレート２９の概念説明図であり、図３（Ｂ）は最終的な文書処理ファイルの概念説明図である。図３（Ａ）において、印刷装置１２がａフォントでＡ文字コード体系のものとして、各テンプレート２９（２９Ａ〜２９Ｎ）が、Ａ文字コード体系のａフォントで印刷処理またはファイル作成処理される固定情報が組み込まれる固定情報領域５１と、可変データが組み込まれる可変情報領域５２（５２Ａ〜５２Ｎ）とがそれぞれ配置されるもので、これが各文字コード体系（Ａ文字コード〜Ｎ文字コード）毎に用意される。そして、これら各文字コード体系毎のテンプレート２９Ａ〜２９Ｎが、上記設定文字コード種データ２７によって、可変情報領域５２Ａ〜５２Ｎに対応するものとして選択されるものである。
【００２３】
また、図３（Ｂ）において、上記印刷装置１２、ＭＭファイル作成装置１３の少なくとも何れかに送出される可変データ毎の文書処理ファイル６１が、例えば上記可変ＤＢ２８の可変データがＣ文字コード体系のものである場合にＣ文字コード体系のテンプレート２９Ｃが選択され、この可変情報領域５２Ｃに当該可変データ（例えば氏名、住所等）がフォント格納手段４３のＡ文字コードａフォントおよびＣ文字コードａフォントより対応の文字情報が読み込まれてそれぞれ組み込まれるものである。
【００２４】
次に、図４に、図１における複数文字コード体系の文書ファイル処理のフローチャートを示す。図４において、まず、設定コード入力手段２１が設定文字コード種のデータ２７を取得し（ステップ（Ｓ）１）、データ読込手段２２が供給される可変データを可変ＤＢ２８より取得する（Ｓ２）。そこで、テンプレート読込手段２３において、単一の文字コード（ここではＡ文字コード体系）による上記固定情報が固定情報領域５１に予め含まれ、それぞれ可変情報領域５２で異なる文字コード体系毎のテンプレート２９のうち、上記取得した設定文字コード種データ２７に対応したテンプレート２９Ｃを読み込む（Ｓ３）。
【００２５】
編集手段２４では、詳細は図５で説明するが、データ区分け手段３１において、上記取得した設定文字コード種のデータ２７がテンプレート２９の固定情報の文字コード種（Ａ文字コード体系）と同一のときには、上記取得した可変データをコード認識手段３２に送出して可変情報領域５２に当該可変データを組み込み、固定情報領域５１の固定情報と共にフォントデータ（Ａ文字コード体系）３４を参照して文字コード認識し、表示、変更編集等の所定処理の後にデータ統合手段３３で編集ファイルを作成する（Ｓ４Ａ）。
【００２６】
一方、データ区分け手段３１において、上記取得した設定文字コード種データ（例えば図３（Ｂ）に示すＣ文字コード体系）２７がテンプレート２９の固定情報の文字コード種と異なるときには、テンプレート２９（２９Ｃ）の固定情報のみをフォントデータ３４を参照して文字コード認識し、表示、変更編集等の所定処理後に可変データ（Ｃ文字コード体系）を文字コード認識せずにそのまま可変情報領域５２Ｃに組み込んで編集ファイルを作成する（Ｓ４Ｂ）。
【００２７】
印刷ファイル作成手段２５では、上記何れかの編集ファイルを取得し、当該編集ファイルを印刷装置１２のフォント形式（例えば米国アドビシステム社が提唱するポストスクリプトのページ記述言語）に対応させた文書処理ファイル（印刷ファイル）を作成する（Ｓ５）。すなわち、可変データがＣ文字コード体系の場合（Ａ文字コード体系以外）、上記テンプレートの可変情報領域５２Ｃ内で上記可変データがＣ文字コード体系のままで表され、固定情報のＡ文字コード体系と混在した文書処理ファイルが作成されることになる。
【００２８】
そこで、出力処理手段２６では、上記文書処理ファイルで使用される文字コード、すなわちＡ文字コードとＣ文字コードのフォントデータ（ａフォントデータ）を格納手段４３で指定し、各文字コードによる文字フォントを読み込んで作成した文書処理ファイルを印刷装置１２、ＭＭファイル作成装置１３の何れかに送出する（Ｓ６）。そして、上記文書処理ファイルが印刷装置１２に送出された場合には、当該文書処理ファイルに基づいて印刷処理を行い（Ｓ７Ａ）、当該文書処理ファイルがＭＭファイル作成装置１３に送出された場合には、当該文書処理ファイルに基づいてＭＭファイルが作成されるものである（Ｓ７Ｂ）。
【００２９】
ここで、図５に、図２の編集手段の処理フローチャートを示す。図５において、図２（Ａ）に示す編集手段２４では、まず、データ区分け手段３１が上記可変データ（Ｘ文字コード体系）および設定文字コード種データ２７を取得し、データ統合手段３３が設定文字コード種データ２７を取得する（Ｓ１１）。取得した設定文字コード種データ２７が例えばＡ文字コード体系であり、印刷装置１２の文字コード体系と同一のときには（Ｓ１２）、コード認識手段３２が上記テンプレート読込手段２３で読み込んだＡ文字コード体系のテンプレート２９Ａを取得すると共に、データ区分け手段３１より取得した可変データを取得する（Ｓ１３）。
【００３０】
そして、コード認識手段３２では、取得したテンプレート２９Ａの可変情報領域５２Ａに取得した可変データを組み込み、フォントデータ（Ａ文字コード体系）３４を参照して文字コード認識して編集ファイルとして表示する（Ｓ１４）。ここで、表示した編集ファイルについてオペレータ等が変更編集する場合には（Ｓ１５）、編集を反映させた編集処理が行われる（Ｓ１６）。編集を行わない場合（Ｓ１５）、または編集処理が終了することで当該編集手段２４が当該編集ファイルを印刷ファイル作成手段２５に送出して処理を終了する。
【００３１】
一方、取得した設定文字コード種のデータ２７が例えばＣ文字コード体系であり、印刷装置１２の文字コード体系と同一でないときには（Ｓ１２）、コード認識手段３２が上記テンプレート読込手段２３で読み込んだＣ文字コード体系のテンプレート２９Ｃを取得する（Ｓ１７）。そこで、コード認識手段３２では、取得したテンプレート２９Ｃの固定情報領域５１に配置されている固定情報についてフォントデータ（Ａ文字コード体系）３４を参照して文字コード認識して文書ファイルとして表示する（Ｓ１８）。
【００３２】
ここで、表示した文書ファイルについてオペレータ等が編集する場合には（Ｓ１９）、編集を反映させた編集処理が行われる（Ｓ２０）。編集を行わない場合（Ｓ１９）、または編集処理が終了すると、当該テンプレート２９Ｃの可変情報領域５２Ｃに取得した可変データを当該Ｃ文字コード体系のままで組み込んで統合することで編集ファイルを作成し、これを印刷ファイル作成手段２５に送出して処理を終了するものである（Ｓ２１）。
【００３３】
このように、印刷処理、電子文書ファイル処理における装置の文字コード体系と異なる文字コード体系の文書データであっても、異なる文字コード体系のままでデータ統合を行い、出力段階で該当の文字コード体系の文字情報を取得させることから、内容を損なわずに確実なファイル作成処理を行わせることができるものである。
【００３４】
【発明の効果】
以上のように、本発明によれば、文字コード体系の文書情報のファイル元データに文字コード種が設定され、取得した所定数の文字コード種のファイル元データのうち、単一の文字コード体系でファイル作成処理する印刷装置または電子文書ファイル作成装置と同一の文字コード体系のファイル元データに対しては単一の文字コード体系のフォントデータを参照して文字コード認識を行い、異なる文字コード体系のファイル元データに対しては文字コード認識せずに当該文字コード体系のままで上記文字コード認識したファイル元データに統合させることにより、印刷処理、電子文書ファイル処理における装置の文字コード体系と異なる文字コード体系の文書データであっても、内容を損なわずに確実なファイル作成処理を行わせることができるなるものである。
【図面の簡単な説明】
【図１】本発明の文書ファイル処理システムのブロック構成図である。
【図２】図１の編集手段および出力処理手段のブロック構成図である。
【図３】本発明に係るテンプレートおよび文書処理ファイルの概念説明図である。
【図４】図１における複数文字コード体系の文書ファイル処理のフローチャートである。
【図５】図２の編集手段の処理フローチャートである。
【図６】従来の印刷データ処理の概念説明図である。
【符号の説明】
１１                  文書ファイル処理システム
１２                  印刷装置
１３                  ＭＭ（マルチメディア）ファイル作成装置
２１                  コード入力手段
２２                  データ読込手段
２３                  テンプレート読込手段
２４                  編集手段
２５                  印刷ファイル作成手段
２６                  出力処理手段
２７                  文字コード設定データ
２８                  可変データベース（ＤＢ）
２９                  テンプレート
３１                  データ区分け手段
３２                  コード認識手段
３３                  データ統合手段
３４                  フォントデータ（Ａ文字コード）
４３                  フォントデータ格納手段
【図１】
0004371558.tif 000002
【図２】
0004371558.tif 000003
【図３】
0004371558.tif 000004
【図４】
0004371558.tif 000005
【図５】
0004371558.tif 000006
【図６】
0004371558.tif 000007